(57)【要約】【課題】ディスプレイによる表示を多様化させる技術を改善すること。【解決手段】携帯電子機器（例えば、スマートフォン）１は、第１表示領域を有する第１ディスプレイ２Ａと、第１ディスプレイ２Ａの表示面側に重ねられ、入射される光を透過する透過状態と入射される光を反射する反射状態とが切り替えられる第２ディスプレイ２Ｂと、第１ディスプレイ２Ａの表示及び第２ディスプレイ２Ｂの表示を制御するコントローラ１０と、を備える。第２ディスプレイ２Ｂは、第１表示領域の少なくとも一部と重なる第１領域と、第１表示領域と重ならない第２領域とを有する第２表示領域を有する。【選択図】図５
2018170753.tif 000002
【特許請求の範囲】
【請求項１】
第１表示領域を有する第１ディスプレイと、
前記第１ディスプレイの表示面側に重ねられ、入射される光を透過する透過状態と入射される光を反射する反射状態とが切り替えられる第２ディスプレイと、
前記第１ディスプレイの表示及び前記第２ディスプレイの表示を制御するコントローラと、
を備え、
前記第２ディスプレイは、前記第１表示領域の少なくとも一部と重なる第１領域と、前記第１表示領域と重ならない第２領域とを有する第２表示領域を有する
携帯電子機器。
【請求項２】
前記コントローラは、前記第１領域と前記第２領域とに跨がる第１画像を、前記第２ディスプレイの前記第２表示領域に表示させる
請求項１に記載の携帯電子機器。
【請求項３】
前記コントローラは、前記第１画像を前記第２ディスプレイに表示する場合に、前記第１ディスプレイの前記第１表示領域における、前記第１画像が重なる部分の表示を隠す
請求項２に記載の携帯電子機器。
【請求項４】
前記第１画像は、当該第１画像と前記第１ディスプレイによる表示との境界を示すための画像を含む
請求項２に記載の携帯電子機器。
【請求項５】
前記第２表示領域の前記第１領域は、前記第１表示領域の全ての領域と重なる領域である
請求項１に記載の携帯電子機器。
【請求項６】
前記コントローラは、前記第１ディスプレイが非表示状態である場合に、前記携帯電子機器の外観を装飾する第２画像を、前記第２表示領域に表示させる
請求項５に記載の携帯電子機器。
【請求項７】
前記第２ディスプレイは、前記携帯電子機器の所定の面の略全体に設けられている
請求項５に記載の携帯電子機器。
【請求項８】
前記コントローラは、前記第１ディスプレイの表示状態を維持しつつ、前記第２ディスプレイの前記第１領域の全体を前記反射状態にさせる
請求項５に記載の携帯電子機器。
【請求項９】
前記コントローラは、
前記第１ディスプレイが表示状態である場合に、所定の条件を満たすと、当該第１ディスプレイを表示状態から非表示状態へ遷移させ、
前記第１ディスプレイが前記表示状態である場合に、前記第２ディスプレイの前記第１領域の全体が前記反射状態である場合には、前記所定の条件を満たしても、当該第１ディスプレイを表示状態から非表示状態へ遷移させない
請求項８に記載の携帯電子機器。
【請求項１０】
第１表示領域を有する第１ディスプレイと、前記第１ディスプレイの表示面側に重ねられ、入射される光を透過する透過状態と入射される光を反射する反射状態とが切り替えられる第２ディスプレイと、を備え、前記第２ディスプレイは、前記第１表示領域の少なくとも一部と重なる第１領域と、前記第１表示領域と重ならない第２領域とを有する第２表示領域を有する携帯電子機器によって実行される制御方法であって、
前記第１ディスプレイの表示を制御するステップと、
前記第１領域と前記第２領域とに跨がる第１画像を、前記第２ディスプレイの前記第２表示領域に表示させるステップと、
を含む制御方法。
【請求項１１】
第１表示領域を有する第１ディスプレイと、前記第１ディスプレイの表示面側に重ねられ、入射される光を透過する透過状態と入射される光を反射する反射状態とが切り替えられる第２ディスプレイと、を備え、前記第２ディスプレイは、前記第１表示領域の少なくとも一部と重なる第１領域と、前記第１表示領域と重ならない第２領域とを有する第２表示領域を有する携帯電子機器に、
前記第１ディスプレイの表示を制御するステップと、
前記第１領域と前記第２領域とに跨がる第１画像を、前記第２ディスプレイの前記第２表示領域に表示させるステップと、
を実行させる制御プログラム。
【発明の詳細な説明】
【技術分野】
【０００１】
本出願は、携帯電子機器、制御方法、及び制御プログラムに関する。
【背景技術】
【０００２】
携帯電子機器には、透過型のディスプレイを有するものが知られている。特許文献１の携帯電子機器は、バックライト等の光源を使用することで透過型のディスプレイを視認可能としている。
【先行技術文献】
【特許文献】
【０００３】
【特許文献１】国際公開第２０１４／１７５４５５号
【発明の概要】
【発明が解決しようとする課題】
【０００４】
従来の携帯電子機器は、ディスプレイによる表示を多様化させる技術に改善の余地がある。
【課題を解決するための手段】
【０００５】
態様の１つに係る携帯電子機器は、第１表示領域を有する第１ディスプレイと、前記第１ディスプレイの表示面側に重ねられ、入射される光を透過する透過状態と入射される光を反射する反射状態とが切り替えられる第２ディスプレイと、前記第１ディスプレイの表示及び前記第２ディスプレイの表示を制御するコントローラと、を備える。前記第２ディスプレイは、前記第１表示領域の少なくとも一部と重なる第１領域と、前記第１表示領域と重ならない第２領域とを有する第２表示領域を有する。
【０００６】
態様の１つに係る制御方法は、第１表示領域を有する第１ディスプレイと、前記第１ディスプレイの表示面側に重ねられ、入射される光を透過する透過状態と入射される光を反射する反射状態とが切り替えられる第２ディスプレイと、を備え、前記第２ディスプレイは、前記第１表示領域の少なくとも一部と重なる第１領域と、前記第１表示領域と重ならない第２領域とを有する第２表示領域を有する携帯電子機器によって実行される制御方法である。制御方法は、前記第１ディスプレイの表示を制御するステップと、前記第１領域と前記第２領域とに跨がる第１画像を、前記第２ディスプレイの前記第２表示領域に表示させるステップと、を含む。
【０００７】
態様の１つに係る制御プログラムは、第１表示領域を有する第１ディスプレイと、前記第１ディスプレイの表示面側に重ねられ、入射される光を透過する透過状態と入射される光を反射する反射状態とが切り替えられる第２ディスプレイと、を備え、前記第２ディスプレイは、前記第１表示領域の少なくとも一部と重なる第１領域と、前記第１表示領域と重ならない第２領域とを有する第２表示領域を有する携帯電子機器に、前記第１ディスプレイの表示を制御するステップと、前記第１領域と前記第２領域とに跨がる第１画像を、前記第２ディスプレイの前記第２表示領域に表示させるステップと、を実行させる。
【図面の簡単な説明】
【０００８】
【図１】図１は、実施形態に係るスマートフォンの一例を示す正面図である。
【図２】図２は、実施形態に係るスマートフォンのディスプレイの配置の一例を示す図である。
【図３】図３は、実施形態に係る第２ディスプレイの状態の一例を示す図である。
【図４】図４は、実施形態に係る第１ディスプレイ及び第２ディスプレイの表示領域の一例を示す図である。
【図５】図５は、実施形態に係るスマートフォンのブロック図である。
【図６】図６は、実施形態に係るスマートフォンが行う表示制御の一例を示す図である。
【図７】図７は、実施形態に係るスマートフォンによる表示制御の一例の処理手順を示すフローチャートである。
【図８】図８は、実施形態に係るスマートフォンが行う表示制御の他の一例を示す図である。
【図９】図９は、実施形態に係るスマートフォンによる表示制御の他の一例の処理手順を示すフローチャートである。
【図１０】図１０は、実施形態に係るスマートフォンが行う表示制御の他の一例を示す図である。
【図１１】図１１は、実施形態に係るスマートフォンの第２ディスプレイに関する表示制御の一例の処理手順を示すフローチャートである。
【図１２】図１２は、実施形態に係るスマートフォンの第１ディスプレイに関する表示制御の一例の処理手順を示すフローチャートである。
【図１３】図１３は、実施形態に係るスマートフォンが行う表示制御の他の一例を示す図である。
【図１４】図１４は、実施形態に係るスマートフォンの第２ディスプレイに関する表示制御の他の一例の処理手順を示すフローチャートである。
【図１５Ａ】図１５Ａは、実施形態に係るスマートフォンが行う背面における表示制御の一例を示す図である。
【図１５Ｂ】図１５Ｂは、図１５Ａにおけるカメラ部分の表示制御の一例を示す図である。
【図１６】図１６は、第２ディスプレイの第２表示領域の他の一例を示す図である。
【発明を実施するための形態】
【０００９】
本出願に係る携帯電子機器、制御方法、及び制御プログラムを実施するための複数の実施形態を、図面を参照しつつ詳細に説明する。以下では、携帯電子機器の例として、スマートフォンについて説明する。
【００１０】
（実施形態）
図１から図４を参照しながら、実施形態に係るスマートフォン１の全体的な構成について説明する。図１は、実施形態に係るスマートフォン１の一例を示す正面図である。図２は、実施形態に係るスマートフォン１のディスプレイの配置の一例を示す図である。図３は、実施形態に係る第２ディスプレイの状態の一例を示す図である。
【００１１】
図１に示すように、スマートフォン１は、ハウジング２０を有する。ハウジング２０は、主面２１を有する。主面２１は、スマートフォン１の正面（表示面）である。スマートフォン１は、第１ディスプレイ２Ａと、第２ディスプレイ２Ｂと、タッチスクリーン２Ｃと、照度センサ４と、近接センサ５と、カメラ１２とを、主面２１に有する。
【００１２】
第１ディスプレイ２Ａ及びタッチスクリーン２Ｃは、主面２１の周縁に沿った略長方形状を有する。第１ディスプレイ２Ａ及びタッチスクリーン２Ｃは、主面２１において、ハウジング２０のフロントパネル２２に囲まれている。第１ディスプレイ２Ａ及びタッチスクリーン２Ｃはそれぞれ略長方形状を有するが、第１ディスプレイ２Ａ及びタッチスクリーン２Ｃの形状はこれに限定されない。第１ディスプレイ２Ａ及びタッチスクリーン２Ｃは、それぞれが正方形又は円形等のどのような形状もとりうる。図１の例では、第１ディスプレイ２Ａ及びタッチスクリーン２Ｃは重なって位置しているが、第１ディスプレイ２Ａ及びタッチスクリーン２Ｃの位置はこれに限定されない。第１ディスプレイ２Ａ及びタッチスクリーン２Ｃは、例えば、並んで位置してもよいし、離れて位置してもよい。図１の例では、第１ディスプレイ２Ａの長辺はタッチスクリーン２Ｃの長辺に沿っており、第１ディスプレイ２Ａの短辺はタッチスクリーン２Ｃの短辺に沿っているが、第１ディスプレイ２Ａ及びタッチスクリーン２Ｃの重ね方はこれに限定されない。第１ディスプレイ２Ａとタッチスクリーン２Ｃとが重なって位置する場合、例えば、第１ディスプレイ２Ａの１ないし複数の辺は、タッチスクリーン２Ｃのいずれの辺とも沿っていなくてもよい。
【００１３】
第１ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。第１ディスプレイ２Ａは、透過型のディスプレイ、自発光型のディスプレイを含む。本実施形態では、第１ディスプレイ２Ａは、バックライトを有する液晶ディスプレイである場合について説明する。
【００１４】
第２ディスプレイ２Ｂは、ハウジング２０の主面２１と類似した形状を有する。第２ディスプレイ２Ｂは、第１ディスプレイ２Ａよりも大きな形状となっている。第２ディスプレイ２Ｂは、第１ディスプレイ２Ａ及びハウジング２０のフロントパネル２２の表面全体に重ねられている。第２ディスプレイ２Ｂは、表面全体が強化ガラス２５によって覆われている。第２ディスプレイ２Ｂは、第１ディスプレイ２Ａと強化ガラス２５との間に挟まれている。第２ディスプレイ２Ｂは、例えば、光硬化型樹脂、接着剤等によって第１ディスプレイ２Ａと強化ガラス２５との間に貼り合わせてもよい。
【００１５】
第２ディスプレイ２Ｂは、ポリマーネットワーク型液晶（ＰＮＬＣ：Ｐｏｌｙｍｅｒ  Ｎｅｔｗｏｒｋ  Ｌｉｑｕｉｄ  Ｃｒｙｓｔａｌ）、電子ペーパー等を含む。本実施形態では、第２ディスプレイ２Ｂは、ポリマーネットワーク型液晶ディスプレイである場合について説明する。
【００１６】
図３に示すように、第２ディスプレイ２Ｂは、ガラスまたは透明フィルム（例えば有機素材からなる）の基板３１と、液晶層３２とを有する。第２ディスプレイ２Ｂは、入射される光を透過する透過状態ＳＴ１と、入射される光を反射する反射状態ＳＴ２とを有する。
【００１７】
透過状態ＳＴ１は、第２ディスプレイ２Ｂの基板３１に電圧が印加された状態である。第２ディスプレイ２Ｂは、透過状態ＳＴ１の場合、電圧の印加によって液晶分子３３が電界方向Ｅに整列し、透明な状態になる。第２ディスプレイ２Ｂは、透過状態ＳＴ１の場合、入射される光を透過する。第２ディスプレイ２Ｂは、透過状態ＳＴ１の場合、基板３１の外部から入射された入射光を反対側の基板３１から透過光として出射する。第２ディスプレイ２Ｂは、透過状態ＳＴ１の場合、入射光が散乱されず、透明を呈する。第２ディスプレイ２Ｂは、透過状態ＳＴ１の場合、背後の第１ディスプレイ２Ａ、フロントパネル２２等を利用者に視認させることができる。透過状態ＳＴ１は、第２ディスプレイ２Ｂを介して第２ディスプレイ２Ｂの背後を利用者が視認可能な状態を含む。透過状態ＳＴ１は、半透明な状態を含んでもよい。
【００１８】
反射状態ＳＴ２は、第２ディスプレイ２Ｂの基板３１に電圧が印加されていない状態である。第２ディスプレイ２Ｂは、反射状態ＳＴ２の場合、液晶層３２内部の網目状のポリマーネットワーク３４の作用により、液晶分子３３の配列が不規則な状態を誘起して光を反射、錯乱させる。第２ディスプレイ２Ｂは、反射状態ＳＴ２の場合、液晶分子３３による光の反射、散乱で不透明な状態を発現できる。第２ディスプレイ２Ｂは、反射状態ＳＴ２の場合、第２ディスプレイ２Ｂの不透明な部分を、反射、散乱された光によって利用者に視認させることができる。第２ディスプレイ２Ｂは、反射状態ＳＴ２の不透明な部分によって背後の第１ディスプレイ２Ａ、フロントパネル２２等を隠すことができる。なお、電圧印加の有無による透過状態ＳＴ１および反射状態ＳＴ２の発現は電圧の印加の有無により切り替え可能なものを意味し、電圧の印加そのものが透過状態ＳＴ１を一意的に限定するものではない。すなわち、上記では電圧の印加によって第２ディスプレイ２Ｂが透明な状態になる場合を例示したが、第２ディスプレイ２Ｂは、電圧が印加されていない状態で透過状態ＳＴ１となり、電圧が印加されている状態で反射状態ＳＴ２となる、逆の構成であってもよい。なお以下では、基板３１に電圧が印加された状態において第２ディスプレイ２Ｂが透過状態ＳＴ１となり、基板３１に電圧が印加されていない状態において第２ディスプレイ２Ｂが反射状態ＳＴ２となるものとして、説明する。
【００１９】
本実施形態では、第２ディスプレイ２Ｂは、液晶分子３３によってスマートフォン１の外部の光を反射、散乱させることにより、反射状態ＳＴ２の部分を白濁した状態で利用者に視認させる場合について説明するが、これに限定されない。例えば、第２ディスプレイ２Ｂは、白色とは異なる色を呈する材料を用いてもよい。
【００２０】
図４は、実施形態に係る第１ディスプレイ２Ａ及び第２ディスプレイ２Ｂの表示領域の一例を示す図である。図４に示すように、第１ディスプレイ２Ａは、第１表示領域２００を有する。第１表示領域２００は、第１ディスプレイ２Ａが各種情報を表示する表示面である。第２ディスプレイ２Ｂは、第２表示領域３００を有する。第２表示領域３００は、第１領域３０１と、第２領域３０２とを有する。例えば、第１領域３０１は、第１ディスプレイ２Ａの第１表示領域２００と重なる第２表示領域３００の領域を含む。第２領域３０２は、第１表示領域２００と重ならない第２表示領域３００の領域を含む。第２領域３０２は、図１に示すフロントパネル２２と重なる第２表示領域３００の領域を含む。
【００２１】
本実施形態では、第２ディスプレイ２Ｂは、ハウジング２０の主面２１の略全面を覆う場合について説明するが、これに限定されない。例えば、第２ディスプレイ２Ｂは、ハウジング２０の主面２１の所定の範囲のみを覆ってもよい。所定の範囲は、例えば、主面２１における第１ディスプレイ２Ａの上側及び下側の少なくとも一方の部分としてもよい。所定の範囲は、例えば、フロントパネル２２の一部としてもよい。例えば、スマートフォン１がハウジング２０のフロントパネル２２に操作ボタン等を有する場合、第２ディスプレイ２Ｂは、操作ボタン等に重ならないように、主面２１に設けてもよい。
【００２２】
タッチスクリーン２Ｃは、タッチスクリーン２Ｃに対する指、ペン、又はスタイラスペン等の接触を検出する。タッチスクリーン２Ｃは、複数の指、ペン、又はスタイラスペン等がタッチスクリーン２Ｃに接触した位置を検出することができる。以下の説明では、タッチスクリーン２Ｃに対して接触する指、ペン、又はスタイラスペン等を、「接触オブジェクト」又は「接触物」と呼ぶことがある。
【００２３】
タッチスクリーン２Ｃの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｃに接触するものと想定する。
【００２４】
スマートフォン１は、タッチスクリーン２Ｃにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｃに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２５】
スマートフォン１は、タッチスクリーン２Ｃを介して判別するこれらのジェスチャに従って動作を行う。このため、利用者にとって直感的で使いやすい操作性が実現される。判別されるジェスチャに従ってスマートフォン１が行う動作は、第１ディスプレイ２Ａに表示されている画面に応じて異なることがある。以下の説明では、説明を簡単にするために、「タッチスクリーン２Ｃが接触を検出し、検出された接触に基づいてジェスチャの種別をスマートフォン１がＸと判別すること」を、「スマートフォンがＸを検出する」、又は「コントローラがＸを検出する」と記載することがある。
【００２６】
図５は、実施形態に係るスマートフォン１のブロック図である。スマートフォン１は、第１ディスプレイ２Ａと、第２ディスプレイ２Ｂと、タッチスクリーン２Ｃと、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、モーションセンサ１５とを有する。
【００２７】
第１ディスプレイ２Ａは、文字、画像、記号、及び図形等を表示する。第２ディスプレイ２Ｂは、文字、画像、記号、及び図形等を表示する。第２ディスプレイ２Ｂは、第１ディスプレイ２Ａ、フロントパネル２２等をマスクする画像を表示する。第２ディスプレイ２Ｂは、スマートフォン１を装飾する画像を表示する。タッチスクリーン２Ｃは、接触を検出する。コントローラ１０は、スマートフォン１に対するジェスチャを検出する。具体的には、コントローラ１０は、タッチスクリーン２Ｃと協働することによって、タッチスクリーン２Ｃに対する操作（ジェスチャ）を検出する。
【００２８】
ボタン３は、利用者によって操作される。ボタン３は、例えば、スマートフォン１のパワーオン／オフボタンを含む。ボタン３は、スリープ／スリープ解除ボタンを兼ねてもよい。ボタン３は、例えば、音量ボタンを含んでもよい。コントローラ１０は、ボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００２９】
照度センサ４は、スマートフォン１の周囲光の照度を検出する。照度は、照度センサ４の測定面の単位面積に入射する光束の値である。照度センサ４は、例えば、第１ディスプレイ２Ａの輝度の調整に用いられる。近接センサ５は、近隣の物体の存在を非接触で検出する。近接センサ５は、磁界の変化又は超音波の反射波の帰還時間の変化等に基づいて物体の存在を検出する。近接センサ５は、例えば、第１ディスプレイ２Ａ及び第２ディスプレイ２Ｂが顔に近付けられたことを検出する。照度センサ４及び近接センサ５は、一つのセンサとして構成されていてもよい。照度センサ４は、近接センサ５として用いられてもよい。
【００３０】
通信ユニット６は、無線により通信する。通信ユニット６によってサポートされる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００（Ｗｉｄｅｂａｎｄ  Ｃｏｄｅ  Ｄｉｖｉｓｉｏｎ  Ｍｕｌｔｉｐｌｅ  Ａｃｃｅｓｓ  ２０００）、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含む。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等を含む。通信ユニット６は、上述した通信規格の１つ又は複数をサポートしていてもよい。
【００３１】
レシーバ７及びスピーカ１１は、音を出力する出力部の１つの例である。レシーバ７及びスピーカ１１は、コントローラ１０から送信される音信号を音として出力できる。レシーバ７は、例えば、通話時に相手の声を出力するために用いてもよい。スピーカ１１は、例えば、着信音及び音楽を出力するために用いてもよい。レシーバ７及びスピーカ１１の一方が、他方の機能を兼ねてもよい。マイク８は、音を入力する入力部の１つの例である。マイク８は、利用者の音声等を音信号へ変換してコントローラ１０へ送信できる。
【００３２】
ストレージ９は、プログラム及びデータを記憶できる。ストレージ９は、コントローラ１０の処理結果を一時的に記憶する作業領域としても利用してもよい。ストレージ９は、記録媒体を含む。記録媒体は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００３３】
ストレージ９に記憶されるプログラムには、フォアグランド又はバックグランドで実行されるアプリケーションと、アプリケーションの動作を支援する制御プログラムとが含まれる。アプリケーションは、例えば、第１ディスプレイ２Ａに画面を表示させ、タッチスクリーン２Ｃを介して検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００３４】
ストレージ９は、例えば、制御プログラム９Ａ及び設定データ９Ｚを記憶する。設定データ９Ｚは、スマートフォン１の動作に関する各種の設定に関する情報を含む。
【００３５】
制御プログラム９Ａは、スマートフォン１を稼働させるための各種制御に関する機能を提供できる。制御プログラム９Ａは、例えば、通信ユニット６、レシーバ７、及びマイク８等を制御することによって、通話を実現させる。制御プログラム９Ａが提供する機能には、タッチスクリーン２Ｃを介して検出されたジェスチャに応じて、第１ディスプレイ２Ａに表示されている情報を変更する等の各種制御を行う機能が含まれる。制御プログラム９Ａが提供する機能には、第１ディスプレイ２Ａ及び第２ディスプレイ２Ｂの表示を制御する機能が含まれる。制御プログラム９Ａは、タッチスクリーン２Ｃ、ボタン３等に対する操作の受け付けを制限する機能を提供する。制御プログラム９Ａが提供する機能には、モーションセンサ１５の検出結果に基づいて、スマートフォン１を携帯する利用者の移動、停止等を検出する機能が含まれる。制御プログラム９Ａが提供する機能は、他のプログラムが提供する機能と組み合わせて利用されることがある。
【００３６】
設定データ９Ｚは、第１ディスプレイ２Ａの表示状態と非表示状態とを切り替える所定の条件を判定するための条件データを含む。表示状態は、第１ディスプレイ２Ａの表示が可能な状態を含む。非表示状態は、第１ディスプレイ２Ａの表示が不能な状態、第１ディスプレイ２Ａの電源がオフの状態等を含む。所定の条件は、第１ディスプレイ２Ａを表示状態から非表示状態へ遷移させる条件を含む。例えば、所定の条件は、利用者の操作終了時から所定時間が経過したか否かを判定するための条件を含む。例えば、所定の条件は、スマートフォン１が静置されてから所定時間が経過したか否かを判定するための条件を含む。条件データは、第１ディスプレイ２Ａの表示状態から非表示状態へ遷移させる条件を含む。条件データは、第１ディスプレイ２Ａの非表示状態から表示状態へ遷移させる条件を含む。設定データ９Ｚは、第２ディスプレイ２Ｂに表示する画像、表示位置等を設定するデータを含む。
【００３７】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、及びコプロセッサを含むが、これらに限定されない。コントローラ１０は、スマートフォン１の動作を統括的に制御できる。コントローラ１０の各種機能は、コントローラ１０の制御に基づいて実現される。
【００３８】
具体的には、コントローラ１０は、ストレージ９に記憶されているプログラムに含まれる命令を実行できる。コントローラ１０は、ストレージ９に記憶されているデータを必要に応じて参照できる。コントローラ１０は、データ及び命令に応じて機能部を制御する。コントローラ１０は、機能部を制御することによって、各種機能を実現する。機能部は、例えば、第１ディスプレイ２Ａ、第２ディスプレイ２Ｂ、通信ユニット６、レシーバ７、及びスピーカ１１を含むが、これらに限定されない。コントローラ１０は、検出部の検出結果に応じて、制御を変更することがある。検出部は、例えば、タッチスクリーン２Ｃ、ボタン３、照度センサ４、近接センサ５、マイク８、カメラ１２、カメラ１３及びモーションセンサ１５を含むが、これらに限定されない。
【００３９】
コントローラ１０は、例えば、制御プログラム９Ａを実行することにより、タッチスクリーン２Ｃを介して検出されたジェスチャに応じて、第１ディスプレイ２Ａに表示されている情報を変更する等の各種制御を実行できる。
【００４０】
カメラ１２及びカメラ１３は、撮影した画像を電気信号へ変換できる。カメラ１２は、フロントパネル２２に面している物体を撮影するインカメラである。カメラ１３は、バックフェイスに面している物体を撮影するアウトカメラである。
【００４１】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４２】
モーションセンサ１５は、スマートフォン１を携帯する利用者の動作を判定するための各種情報を検出できる。モーションセンサ１５は、例えば、加速度センサ、方位センサ、ジャイロスコープ、磁気センサ及び気圧センサなどを備えるセンサユニットとして構成されてよい。
【００４３】
図５においてストレージ９が記憶するプログラム及びデータの一部又は全部は、通信ユニット６による無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００４４】
図５に示したスマートフォン１の構成は一例であり、本発明の要旨を損なわない範囲において適宜変更してよい。図５に示した例では、スマートフォン１がボタン３を備えるが、スマートフォン１は、ボタン３を備えなくてもよい。図５に示した例では、スマートフォン１が２つのカメラを備えるが、スマートフォン１は、１つのカメラのみを備えてもよいし、カメラを備えなくてもよい。
【００４５】
図６は、実施形態に係るスマートフォン１が行う表示制御の一例を示す図である。スマートフォン１は、図６のステップＳ２１に示すように、ホーム画面４０を第１ディスプレイ２Ａに表示している。ステップＳ２１では、スマートフォン１は、第２ディスプレイ２Ｂの第２表示領域３００の全てを透過状態ＳＴ１にしている。スマートフォン１は、第１ディスプレイ２Ａからの光を、透明な第２ディスプレイ２Ｂに透過させ、スマートフォン１の外部に出射させることができる。その結果、利用者は、出射された光を視認することで、透明な第２ディスプレイ２Ｂを介して、第１ディスプレイ２Ａに表示されたホーム画面４０を視認できる。
【００４６】
スマートフォン１は、第１画像５０の表示条件を満たす場合、ステップＳ２２に示すように、第１画像５０を第２ディスプレイ２Ｂに表示させる。第１画像５０の表示条件は、例えば、第１画像５０を表示するか否か、第１画像５０を表示するタイミング等の条件を含む。第１画像５０の表示条件は、例えば、第１画像５０に関する表示を切り替えるための利用者による第１の操作を検出する条件を含む。第１の操作は、例えば、ダブルタップ、ロングタッチ、スライド、フリック、自機を振る（シェイク）、自機を握る（グリップ）等の操作を含む。スマートフォン１は、例えば、自機に作用する加速度に基づいてシェイクの操作を検出できる。スマートフォン１は、例えば、自機内の圧力の変化、タッチスクリーン２Ｃの接触状態等に基づいてグリップの操作を検出できる。表示条件は、自機の利用者が設定した操作とすることで、セキュリティを確保できる。スマートフォン１は、第１画像５０の表示が有効である場合、第１ディスプレイ２Ａのホーム画面４０の一部と重なる第２表示領域３００の所定領域に第１画像５０を表示する。スマートフォン１は、第２表示領域３００の第１領域３０１と第２領域３０２とに跨がる第１画像５０を、第２表示領域３００に表示する。
【００４７】
第１画像５０は、透過部５１と、反射部５２とを有する。第１画像５０は、透過部５１と反射部５２とを組み合わせた画像となっている。スマートフォン１は、第１画像５０の透過部５１に対応した第２表示領域３００の部分が透過状態ＳＴ１、第１画像５０の反射部５２に対応した第２表示領域３００の部分が反射状態ＳＴ２となるように、第２ディスプレイ２Ｂを制御する。スマートフォン１は、第１画像５０の透過部５１を、その背後の色によって利用者に視認させる。スマートフォン１は、第１画像５０の反射部５２を、不透明な第２ディスプレイ２Ｂの色によって利用者に視認させる。
【００４８】
図６に示す例では、第１画像５０は、時計アプリケーションの画像である場合について説明するが、これに限定されない。例えば、第１画像５０は、静止画像、動画像等を含んでもよい。第１画像５０の透過部５１は、時計の数字、文字、枠等の画像を含む。第１画像５０の反射部５２は、時計の背景等の画像を含む。スマートフォン１は、第１画像５０の透過部５１が重なる第１表示領域２００の部分を、当該透過部５１の表示色で表示させてもよい。例えば、スマートフォン１は、第１画像５０の透過部５１の背後を黒色にすることで、透過部５１を黒色で視認させることができる。
【００４９】
スマートフォン１は、第１画像５０が重なった第１ディスプレイ２Ａの第１表示領域２００の一部を、第１画像５０の反射部５２で隠すことができる。スマートフォン１は、主面２１において、第１ディスプレイ２Ａで表示できない第２表示領域３００の第２領域３０２、すなわち、フロントパネル２２上に第１画像５０を表示できる。スマートフォン１は、第１ディスプレイ２Ａと第２ディスプレイ２Ｂとの表示を組み合わせることにより、第１ディスプレイ２Ａとフロントパネル２２とに跨がる表示を実現できるため、表示の多様化を図ることができる。スマートフォン１は、第２ディスプレイ２Ｂとしてポリマーネットワーク型液晶を用いることにより、外光視認性を向上し、かつ消費電力を抑制することができる。第１画像５０の表示条件を第１の操作の検出とした場合、スマートフォン１は、第１画像５０の表示、非表示を利用者の操作によって切り替えることができるので、利便性を低下させることなく、表示の多様化を図ることができる。
【００５０】
第１画像５０は、当該第１画像５０と第１ディスプレイ２Ａの表示との境界を示す画像を含む。第１画像５０は、当該第１画像５０とフロントパネル２２との境界を示す画像を含む。図６に示す例では、第１画像５０は、透過部５１によってリング状の枠を示す画像を含んでいる。スマートフォン１は、第１画像５０及びフロントパネル２２と第１ディスプレイ２Ａの表示との境界を第２ディスプレイ２Ｂに表示することで、第１画像５０が第２ディスプレイ２Ｂに表示されていることを利用者に認識させることができる。
【００５１】
図７は、実施形態に係るスマートフォン１による表示制御の一例の処理手順を示すフローチャートである。図７に示す処理手順は、コントローラ１０が制御プログラム９Ａを実行することによって実現される。図７に示す処理手順は、コントローラ１０によって繰り返し実行される。
【００５２】
図７に示すように、スマートフォン１のコントローラ１０は、設定データ９Ｚの設定内容、第１ディスプレイ２Ａの表示状態等に基づいて、第１画像５０の表示条件を満たすか否かを判定する（ステップＳ１０１）。コントローラ１０は、第１画像５０の表示条件を満たしていないと判定した場合（ステップＳ１０１でＮｏ）、図７に示す処理手順を終了させる。コントローラ１０は、第１画像５０の表示条件を満たしていると判定した場合（ステップＳ１０１でＹｅｓ）、処理をステップＳ１０２に進める。
【００５３】
コントローラ１０は、第１画像５０を第２ディスプレイ２Ｂに表示させる（ステップＳ１０２）。例えば、コントローラ１０は、第１画像５０の透過部５１に対応した第２表示領域３００の部分が透過状態ＳＴ１、第１画像５０の反射部５２に対応した第２表示領域３００の部分が反射状態ＳＴ２で、第２ディスプレイ２Ｂに表示させる。
【００５４】
コントローラ１０は、第１画像５０を第２ディスプレイ２Ｂに表示させると、第１画像５０の消去条件を満たすか否かを判定する（ステップＳ１０３）。第１画像５０の消去条件は、例えば、第１画像５０を消去するタイミングの条件を含む。第１画像５０の消去条件は、例えば、第１画像５０を消去するための利用者による消去操作を検出する条件を含む。消去操作は、例えば、ダブルタップ、ロングタッチ、スライド、フリック、シェイク、グリップ等の操作を含む。コントローラ１０は、第１画像５０の消去条件を満たしていないと判定した場合（ステップＳ１０３でＮｏ）、処理を既に説明したステップＳ１０２に戻す。コントローラ１０は、第１画像５０の消去条件を満たしていると判定した場合（ステップＳ１０３でＹｅｓ）、処理をステップＳ１０４に進める。
【００５５】
コントローラ１０は、第２ディスプレイ２Ｂに表示している第１画像５０を消去させる（ステップＳ１０４）。例えば、コントローラ１０は、第１画像５０の反射部５２に対応した第２表示領域３００の部分を、反射状態ＳＴ２から透過状態ＳＴ１に遷移させる。逆に、コントローラ１０は、第１画像５０の透過部５１に対応した第２表示領域３００の部分を、透過状態ＳＴ１から反射状態ＳＴ２に遷移させることによって第１画像５０を消去させてもよい。コントローラ１０は、第１画像５０を消去させると、図７に示す処理手順を終了させる。
【００５６】
図８は、実施形態に係るスマートフォン１が行う表示制御の他の一例を示す図である。スマートフォン１は、図８のステップＳ３１に示すように、第１ディスプレイ２Ａを非表示状態（スリープ状態）にしている。スマートフォン１は、第１ディスプレイ２Ａを非表示状態にしている場合、第１ディスプレイ２Ａの消費電力を抑制することができるが、第１ディスプレイ２Ａを黒色の画面、退屈な画面等として利用者に視認させることになる。
【００５７】
スマートフォン１は、ステップＳ３２に示すように、第２画像６０を第２ディスプレイ２Ｂに表示できる。第２画像６０は、スマートフォン１の外観を装飾する画像を含む。第２画像６０は、透過部６１と、反射部６２とを有する。第２画像６０は、透過部６１と反射部６２とを組み合わせた画像となっている。スマートフォン１は、第２画像６０の透過部６１に対応した第２表示領域３００の部分が透過状態ＳＴ１、第２画像６０の反射部６２に対応した第２表示領域３００の部分が反射状態ＳＴ２となるように、第２ディスプレイ２Ｂを制御する。スマートフォン１は、第２画像６０の透過部６１を、その背後の色によって利用者に視認させる。スマートフォン１は、第２画像６０の反射部６２を、不透明な第２ディスプレイ２Ｂの色によって利用者に視認させる。透過部６１は、第２画像６０の半透明な部分を含んでもよい。
【００５８】
図８に示す例では、第２画像６０は、透過部６１と反射部６２との画素の密度を変化させることにより、透明な部分と不透明な白い部分との大理石模様を実現している。スマートフォン１は、第１ディスプレイ２Ａが非表示状態であり、第２画像６０の表示条件を満たす場合、大理石模様の第２画像６０を第２ディスプレイ２Ｂの第２表示領域３００の全面に表示できる。スマートフォン１は、非表示状態の第１ディスプレイ２Ａを第２画像６０によって隠すことにより、第１ディスプレイ２Ａの消費電力を抑制した状態で、デザイン性を向上させることができる。スマートフォン１は、第２ディスプレイ２Ｂとして、ポリマーネットワーク型液晶、電子ペーパー等を用いることにより、待機時の消費電力の増加を抑制し、外光視認性を向上させることができる。スマートフォン１は、フロントパネル２２に設けられた照度センサ４、近接センサ５及びカメラ１２を、第２画像６０によって隠すことができる。その結果、スマートフォン１は、フロントパネル２２の穴等を隠すことにより、デザイン性を向上できる。
【００５９】
スマートフォン１は、第２画像６０を第２ディスプレイ２Ｂに表示している場合、第１ディスプレイ２Ａが非表示状態から表示状態へ遷移すると、第２画像６０を第２ディスプレイ２Ｂから消去することができる。スマートフォン１は、第２ディスプレイ２Ｂの第２画像６０の表示から第１ディスプレイ２Ａの表示へ切り替えることができる。
【００６０】
図９は、実施形態に係るスマートフォン１による表示制御の他の一例の処理手順を示すフローチャートである。図９に示す処理手順は、コントローラ１０が制御プログラム９Ａを実行することによって実現される。図９に示す処理手順は、コントローラ１０によって繰り返し実行される。
【００６１】
図９に示すように、スマートフォン１のコントローラ１０は、設定データ９Ｚの設定内容に基づいて、第２画像６０の表示条件を満たすか否かを判定する（ステップＳ２０１）。第２画像６０の表示条件は、例えば、第２画像６０に関する表示を切り替えるための利用者による第２の操作を検出する条件を含む。第２の操作は、例えば、ダブルタップ、ロングタッチ、スライド、フリック、自機を振る（シェイク）、自機を握る（グリップ）等の操作を含む。コントローラ１０は、第２画像６０の表示条件を満たしていないと判定した場合（ステップＳ２０１でＮｏ）、図９に示す処理手順を終了させる。コントローラ１０は、第２画像６０の表示条件を満たしていると判定した場合（ステップＳ２０１でＹｅｓ）、処理をステップＳ２０２に進める。
【００６２】
コントローラ１０は、第１ディスプレイ２Ａが非表示状態であるか否かを判定する（ステップＳ２０２）。コントローラ１０は、第１ディスプレイ２Ａが非表示状態ではないと判定した場合（ステップＳ２０２でＮｏ）、図９に示す処理手順を終了させる。コントローラ１０は、第１ディスプレイ２Ａが非表示状態であると判定した場合（ステップＳ２０２でＹｅｓ）、処理をステップＳ２０３に進める。
【００６３】
コントローラ１０は、主面２１の外観を装飾する第２画像６０を第２ディスプレイ２Ｂの第２表示領域３００に表示させる（ステップＳ２０３）。例えば、コントローラ１０は、第２画像６０の透過部６１に対応した第２表示領域３００の部分が透過状態ＳＴ１、第２画像６０の反射部６２に対応した第２表示領域３００の部分が反射状態ＳＴ２で、第２ディスプレイ２Ｂに表示させる。
【００６４】
コントローラ１０は、第２画像６０を第２ディスプレイ２Ｂに表示させると、第１ディスプレイ２Ａが表示状態であるか否かを判定する（ステップＳ２０４）。コントローラ１０は、第１ディスプレイ２Ａが表示状態ではないと判定した場合（ステップＳ２０４でＮｏ）、処理を既に説明したステップＳ２０４に戻す。すなわち、コントローラ１０は、第１ディスプレイ２Ａが非表示状態であるため、第２ディスプレイ２Ｂにおける第２画像６０の表示を継続させる。コントローラ１０は、第１ディスプレイ２Ａが表示状態であると判定した場合（ステップＳ２０４でＹｅｓ）、処理をステップＳ２０５に進める。
【００６５】
コントローラ１０は、第２ディスプレイ２Ｂに表示している第２画像６０を消去させる（ステップＳ２０５）。例えば、コントローラ１０は、第２画像６０の反射部６２に対応した第２表示領域３００の部分を、反射状態ＳＴ２から透過状態ＳＴ１に遷移させる。例えば、第２画像６０を第２ディスプレイ２Ｂの全面に表示している場合、コントローラ１０は、第２ディスプレイ２Ｂの全面を透過状態ＳＴ１に遷移させることで、第２ディスプレイ２Ｂの全面を透明にさせる。コントローラ１０は、第２画像６０を消去させると、図９に示す処理手順を終了させる。
【００６６】
例えば、第２画像６０の表示条件を第２の操作の検出とした場合、スマートフォン１は、第１ディスプレイ２Ａによる表示と第２ディスプレイ２Ｂによる表示とを、利用者の操作に応じて切り替えることができるので、利便性を低下させることなく、表示の多様化を図ることができる。
【００６７】
図９に示す例では、コントローラ１０は、第２画像６０を第２ディスプレイ２Ｂに表示させた後、第１ディスプレイ２Ａが表示状態になった場合に、当該第２画像６０を消去する場合について説明したが、これに限定されない。例えば、コントローラ１０は、第２画像６０の表示中に第２の操作等を検出した場合に、第２画像６０を第２ディスプレイ２Ｂに消去させて第２ディスプレイ２Ｂを透明にさせ（第２画像６０の反射部６２に対応した第２表示領域３００の部分を、反射状態ＳＴ２から透過状態ＳＴ１に遷移させ）、第１ディスプレイ２Ａを表示状態へ遷移させてもよい。
【００６８】
図１０は、実施形態に係るスマートフォン１が行う表示制御の他の一例を示す図である。スマートフォン１は、図１０のステップＳ４１に示すように、ホーム画面４０を第１ディスプレイ２Ａに表示している。ステップＳ４１では、スマートフォン１は、第２ディスプレイ２Ｂの第２表示領域３００の全てを透過状態ＳＴ１にしている。スマートフォン１は、第１ディスプレイ２Ａからの光を、透明な第２ディスプレイ２Ｂに透過させ、スマートフォン１の外部に出射させることができる。その結果、利用者は、出射された光を視認することで、透明な第２ディスプレイ２Ｂを介して、第１ディスプレイ２Ａに表示されたホーム画面４０を視認できる。
【００６９】
スマートフォン１は、第１条件を満たすと、ステップＳ４２に示すように、第１ディスプレイ２Ａの表示を維持した状態で、第２ディスプレイ２Ｂの少なくとも第１領域３０１を透過状態ＳＴ１から反射状態ＳＴ２へ遷移させることができる。第１条件は、例えば、予め定められた利用者による操作の検出、予め設定された日時の検出等の条件を含む。第１条件は、例えば、第２ディスプレイ２Ｂに関する表示を切り替えるための利用者による第３の操作を検出する条件を含む。第３の操作は、例えば、ダブルタップ、ロングタッチ、スライド、フリック、シェイク、グリップ等の操作を含む。スマートフォン１は、第１条件を満たした場合に、第１ディスプレイ２Ａの表示内容を、第２ディスプレイ２Ｂによって隠すことができる。スマートフォン１は、第２ディスプレイ２Ｂをプライバシーガラスとして用いることができる。図１０に示す例では、スマートフォン１は、第２ディスプレイ２Ｂの第２表示領域３００の全てを反射状態ＳＴ２へ遷移させるが、これに限定されない。例えば、スマートフォン１は、第２表示領域３００の第１領域３０１のみを反射状態ＳＴ２へ遷移させてもよい。スマートフォン１は、第２ディスプレイ２Ｂの第２表示領域３００の全てを反射状態ＳＴ２へ遷移させることにより、フロントパネル２２に設けられた照度センサ４、近接センサ５及びカメラ１２を隠すことができる。
【００７０】
スマートフォン１は、第２ディスプレイ２Ｂの第２表示領域３００を反射状態ＳＴ２へ遷移させた後、反射状態ＳＴ２の解除条件を満たすと、第２表示領域３００を反射状態ＳＴ２から透過状態ＳＴ１へ遷移させる。解除条件は、例えば、反射状態ＳＴ２へ遷移させてから解除時間が経過したことの検出、予め定められた解除操作の検出等の条件を含む。解除条件は、例えば、第２ディスプレイ２Ｂの反射状態ＳＴ２を解除するための利用者による解除操作を検出する条件を含む。解除操作は、例えば、ダブルタップ、ロングタッチ、スライド、フリック、シェイク、グリップ等の操作を含む。スマートフォン１は、解除条件を満たすと、第２表示領域３００を反射状態ＳＴ２から透過状態ＳＴ１へ遷移させる。その結果、スマートフォン１は、ステップＳ４１に示すように、第１ディスプレイ２Ａの表示が視認可能な状態になる。スマートフォン１は、第２ディスプレイ２Ｂに電位を印加していない場合に反射状態ＳＴ２になる構成の場合には、消費電力を抑制することができる。例えば、利用者は、他人の接近等によりスマートフォン１の表示を一時的に隠したい場合がある。このような場合、スマートフォン１は、予め定められた利用者による操作を検出すると、第１ディスプレイ２Ａの表示を第２ディスプレイ２Ｂによって一時的に隠すことができる。
【００７１】
スマートフォン１は、ステップＳ４１の状態において、所定の条件を満たすと、タッチスクリーン２Ｃ、ボタン３等に対する操作の受け付けを制限し、第１ディスプレイ２Ａを表示状態から非表示状態へ遷移させる機能を提供できる。スマートフォン１は、所定の条件を満たすと、ステップＳ４３に示すように、第１ディスプレイ２Ａを非表示状態へ遷移させる。ステップＳ４３では、スマートフォン１は、第２ディスプレイ２Ｂの第２表示領域３００の全てを透過状態ＳＴ１にしている。その結果、利用者は、第１ディスプレイ２Ａが非表示状態（スリープ状態）のスマートフォン１を視認できる。
【００７２】
スマートフォン１は、ステップＳ４３の状態において、タッチスクリーン２Ｃ、ボタン３等に対する操作を検出すると、ステップＳ４４に示すように、ロック画面４１を第１ディスプレイ２Ａに表示し、制限を解除する操作のみを受け付ける。ロック画面４１は、例えば、タッチスクリーン２Ｃ、ボタン３等に対する操作が制限されていることを示す画面である。図１０に示す例では、ロック画面４１は、時計及び鍵を示す情報を表示する場合について説明するが、これに限定されない。ステップＳ４４では、スマートフォン１は、第２ディスプレイ２Ｂの第２表示領域３００の全てを透過状態ＳＴ１にしている。その結果、利用者は、出射された光を視認することで、透明な第２ディスプレイ２Ｂを介して、第１ディスプレイ２Ａに表示されたロック画面４１を視認できる。
【００７３】
スマートフォン１は、ステップＳ４４の状態において、スマートフォン１の制限を解除する操作を検出すると、第１ディスプレイ２Ａのロック画面４１を消去し、ステップＳ４１に示すように、第１ディスプレイ２Ａにホーム画面４０を表示する。ステップＳ４１では、スマートフォン１は、第２ディスプレイ２Ｂの第２表示領域３００の全てを透過状態ＳＴ１にしている。その結果、スマートフォン１は、制限が解除され、ホーム画面４０等に対する操作を受け付ける。
【００７４】
例えば、スマートフォン１は、ステップＳ４２の状態では、第２ディスプレイ２Ｂによって第１ディスプレイ２Ａを隠しているため、所定の条件を満たしても、第１ディスプレイ２Ａを表示状態から非表示状態で遷移させない。その結果、スマートフォン１は、スリープ状態とは異なる方法で、一時的に第１ディスプレイ２Ａの表示を隠すことができる。スマートフォン１は、反射状態ＳＴ２の解除時間の経過によって自動的に第２ディスプレイ２Ｂによるマスクを解除することで、利用者の解除操作を不要とすることができる。
【００７５】
例えば、反射状態ＳＴ２の解除条件を利用者によって定められた解除操作の検出とした場合、スマートフォン１は、第２ディスプレイ２Ｂの反射状態ＳＴ２から透過状態ＳＴ１への遷移を、利用者の操作のみに応じて切り替えることができるので、セキュリティを確保した状態で、表示の多様化を図ることができる。
【００７６】
図１１は、実施形態に係るスマートフォン１の第２ディスプレイ２Ｂに関する表示制御の一例の処理手順を示すフローチャートである。図１１に示す処理手順は、コントローラ１０が制御プログラム９Ａを実行することによって実現される。図１１に示す処理手順は、コントローラ１０によって繰り返し実行される。
【００７７】
図１１に示すように、スマートフォン１のコントローラ１０は、第２ディスプレイ２Ｂを透過状態ＳＴ１に遷移させる（ステップＳ３０１）。例えば、コントローラ１０は、第２ディスプレイ２Ｂの基板３１に電圧を印加することにより、第２表示領域３００の全てを透過状態ＳＴ１に遷移させる。コントローラ１０は、第２ディスプレイ２Ｂを透過状態ＳＴ１に遷移させると、処理をステップＳ３０２に進める。
【００７８】
コントローラ１０は、第１ディスプレイ２Ａが表示状態であるか否かを判定する（ステップＳ３０２）。コントローラ１０は、第１ディスプレイ２Ａが表示状態ではないと判定した場合（ステップＳ３０２でＮｏ）、図１１に示す処理手順を終了させる。コントローラ１０は、第１ディスプレイ２Ａが表示状態であると判定した場合（ステップＳ３０２でＹｅｓ）、処理をステップＳ３０３に進める。
【００７９】
コントローラ１０は、第２ディスプレイ２Ｂの第１条件を満たすか否かを判定する（ステップＳ３０３）。例えば、コントローラ１０は、予め定められた操作、予め設定された日時等を検出した場合に、第２ディスプレイ２Ｂの第１条件を満たすと判定する。コントローラ１０は、第２ディスプレイ２Ｂの第１条件を満たしていないと判定した場合（ステップＳ３０３でＮｏ）、図１１に示す処理手順を終了させる。コントローラ１０は、第２ディスプレイ２Ｂの第１条件を満たすと判定した場合（ステップＳ３０３でＹｅｓ）、処理をステップＳ３０４に進める。
【００８０】
コントローラ１０は、第１ディスプレイ２Ａの表示を維持した状態で、第２ディスプレイ２Ｂを透過状態ＳＴ１から反射状態ＳＴ２へ遷移させる（ステップＳ３０４）。例えば、コントローラ１０は、第２ディスプレイ２Ｂの基板３１への電圧の印加を停止させることにより、第２表示領域３００の全てを透過状態ＳＴ１から反射状態ＳＴ２へ遷移させる。コントローラ１０は、第２ディスプレイ２Ｂを反射状態ＳＴ２へ遷移させると、処理をステップＳ３０５に進める。
【００８１】
コントローラ１０は、第２ディスプレイ２Ｂの反射状態ＳＴ２の解除条件を満たすか否かを判定する（ステップＳ３０５）。例えば、コントローラ１０は、反射状態ＳＴ２へ遷移させてから解除時間が経過したこと、予め定められた解除操作等を検出した場合に、反射状態ＳＴ２の解除条件を満たすと判定する。コントローラ１０は、反射状態ＳＴ２の解除条件を満たしていないと判定した場合（ステップＳ３０５でＮｏ）、ステップＳ３０５の処理を繰り返すことにより、第２ディスプレイ２Ｂの反射状態ＳＴ２を維持する。コントローラ１０は、反射状態ＳＴ２の解除条件を満たすと判定した場合（ステップＳ３０５でＹｅｓ）、処理をステップＳ３０６に進める。
【００８２】
コントローラ１０は、第１ディスプレイ２Ａの表示を維持した状態で、第２ディスプレイ２Ｂを反射状態ＳＴ２から透過状態ＳＴ１へ遷移させる（ステップＳ３０６）。例えば、コントローラ１０は、第２ディスプレイ２Ｂの基板３１に電圧を印加させることにより、第２表示領域３００の全てを透過状態ＳＴ１へ遷移させる。コントローラ１０は、第２ディスプレイ２Ｂを透過状態ＳＴ１へ遷移させると、図１１に示す処理手順を終了させる。
【００８３】
図１２は、実施形態に係るスマートフォン１の第１ディスプレイ２Ａに関する表示制御の一例の処理手順を示すフローチャートである。図１２に示す処理手順は、コントローラ１０が制御プログラム９Ａを実行することによって実現される。図１２に示す処理手順は、コントローラ１０によって繰り返し実行される。図１２に示す処理手順は、図１１に示す処理手順と並行して実行される。
【００８４】
図１２に示すように、スマートフォン１のコントローラ１０は、第１ディスプレイ２Ａが表示状態であるか否かを判定する（ステップＳ４０１）。コントローラ１０は、第１ディスプレイ２Ａが表示状態ではないと判定した場合（ステップＳ４０１でＮｏ）、図１２に示す処理手順を終了させる。コントローラ１０は、第１ディスプレイ２Ａが表示状態であると判定した場合（ステップＳ４０１でＹｅｓ）、処理をステップＳ４０２に進める。
【００８５】
コントローラ１０は、第１ディスプレイ２Ａを表示状態から非表示状態へ切り替える所定の条件を満たすか否かを判定する（ステップＳ４０２）。コントローラ１０は、所定の条件を満たしていないと判定した場合（ステップＳ４０２でＮｏ）、図１２に示す処理手順を終了させる。コントローラ１０は、所定の条件を満たすと判定した場合（ステップＳ４０２でＹｅｓ）、処理をステップＳ４０３に進める。
【００８６】
コントローラ１０は、第２ディスプレイ２Ｂが反射状態ＳＴ２であるか否かを判定する（ステップＳ４０３）。コントローラ１０は、第２ディスプレイ２Ｂが反射状態ＳＴ２であると判定した場合（ステップＳ４０３でＹｅｓ）、処理をステップＳ４０４に進める。コントローラ１０は、第１ディスプレイ２Ａの表示状態を維持し（ステップＳ４０４）、図１２に示す処理手順を終了させる。
【００８７】
コントローラ１０は、第２ディスプレイ２Ｂが反射状態ＳＴ２ではないと判定した場合（ステップＳ４０３でＮｏ）、処理をステップＳ４０５に進める。コントローラ１０は、第１ディスプレイ２Ａを表示状態から非表示状態へ遷移させる（ステップＳ４０５）。コントローラ１０は、ロック処理を実行する（ステップＳ４０６）。ロック処理は、例えば、タッチスクリーン２Ｃ、ボタン３等に対する操作の受け付けを制限する処理を含む。操作の受け付けを制限する処理は、コントローラ１０がタッチスクリーン２Ｃの操作を受け付けないようにしてもよいし、コントローラ１０がタッチスクリーン２Ｃの操作を受けても無視するようにしてもよい。ロック処理は、例えば、第１ディスプレイ２Ａにロック画面４１を表示し、利用者を認証した場合にロック処理を終了する。コントローラ１０は、ロック処理が終了すると、図１２に示す処理手順を終了させる。
【００８８】
図１３は、実施形態に係るスマートフォン１が行う表示制御の他の一例を示す図である。スマートフォン１は、図１３のステップＳ５１に示すように、ホーム画面４０を第１ディスプレイ２Ａに表示している。ステップＳ５１では、スマートフォン１は、第１画像５０の表示条件を満たす場合、第１画像５０を第２ディスプレイ２Ｂに表示させる。スマートフォン１は、第１画像５０の表示条件を満たす場合、第１ディスプレイ２Ａのホーム画面４０の一部と重なる第２表示領域３００の所定領域に第１画像５０を表示する。スマートフォン１は、第２表示領域３００の第１領域３０１と第２領域３０２とに跨がる第１画像５０を、第２表示領域３００に表示する。その結果、利用者は、第１ディスプレイ２Ａに表示されたホーム画面４０と、第２ディスプレイ２Ｂに表示された第１画像５０を視認できる。
【００８９】
スマートフォン１は、第１条件を満たすと、ステップＳ５２に示すように、第１ディスプレイ２Ａの表示を維持した状態で、第１画像５０を表示していない第２ディスプレイ２Ｂの第２表示領域３００の全領域を透過状態ＳＴ１から反射状態ＳＴ２へ遷移させることができる。スマートフォン１は、反射状態ＳＴ２へ遷移させた第２表示領域３００の領域により、フロントパネル２２に設けられた照度センサ４、近接センサ５及びカメラ１２を隠すことができる。その結果、スマートフォン１は、第１ディスプレイ２Ａの表示内容を第２ディスプレイ２Ｂによって隠し、第２ディスプレイ２Ｂに表示している第１画像５０のみを利用者に視認させることができる。スマートフォン１は、第１画像５０を表示していない第２ディスプレイ２Ｂの部分を、反射状態ＳＴ２における第２ディスプレイ２Ｂの色によって利用者に視認させることができる。よって、スマートフォン１は、表示態様の多様性を向上させることができる。
【００９０】
図１４は、実施形態に係るスマートフォン１の第２ディスプレイ２Ｂに関する表示制御の他の一例の処理手順を示すフローチャートである。図１４に示す処理手順は、コントローラ１０が制御プログラム９Ａを実行することによって実現される。図１４に示す処理手順は、コントローラ１０によって繰り返し実行される。
【００９１】
図１４に示すように、スマートフォン１のコントローラ１０は、第２ディスプレイ２Ｂに第１画像５０を表示させ、第１画像５０を表示しない第２ディスプレイ２Ｂの領域を透過状態ＳＴ１に遷移させる（ステップＳ５０１）。コントローラ１０は、ステップＳ５０１の処理が終了すると、処理をステップＳ５０２に進める。
【００９２】
コントローラ１０は、第１ディスプレイ２Ａが表示状態であるか否かを判定する（ステップＳ５０２）。コントローラ１０は、第１ディスプレイ２Ａが表示状態ではないと判定した場合（ステップＳ５０２でＮｏ）、図１４に示す処理手順を終了させる。コントローラ１０は、第１ディスプレイ２Ａが表示状態であると判定した場合（ステップＳ５０２でＹｅｓ）、処理をステップＳ５０３に進める。
【００９３】
コントローラ１０は、第２ディスプレイ２Ｂの第１条件を満たすか否かを判定する（ステップＳ５０３）。例えば、コントローラ１０は、予め定められた操作、予め設定された日時等を検出した場合に、第２ディスプレイ２Ｂの第１条件を満たすと判定する。コントローラ１０は、第２ディスプレイ２Ｂの第１条件を満たしていないと判定した場合（ステップＳ５０３でＮｏ）、図１４に示す処理手順を終了させる。コントローラ１０は、第２ディスプレイ２Ｂの第１条件を満たすと判定した場合（ステップＳ５０３でＹｅｓ）、処理をステップＳ５０４に進める。
【００９４】
コントローラ１０は、第１ディスプレイ２Ａの表示及び第２ディスプレイ２Ｂの第１画像５０の表示を維持した状態で、第１画像５０を表示していない第２ディスプレイ２Ｂの領域を透過状態ＳＴ１から反射状態ＳＴ２へ遷移させる（ステップＳ５０４）。コントローラ１０は、ステップＳ５０４の処理が終了すると、処理をステップＳ５０５に進める。
【００９５】
コントローラ１０は、第２ディスプレイ２Ｂの反射状態ＳＴ２の解除条件を満たすか否かを判定する（ステップＳ５０５）。例えば、コントローラ１０は、反射状態ＳＴ２へ遷移させてから解除時間が経過したこと、予め定められた解除操作等を検出した場合に、反射状態ＳＴ２の解除条件を満たすと判定する。コントローラ１０は、反射状態ＳＴ２の解除条件を満たしていないと判定した場合（ステップＳ５０５でＮｏ）、ステップＳ５０５の処理を繰り返すことにより、第２ディスプレイ２Ｂの反射状態ＳＴ２を維持する。コントローラ１０は、反射状態ＳＴ２の解除条件を満たすと判定した場合（ステップＳ５０５でＹｅｓ）、処理をステップＳ５０６に進める。
【００９６】
コントローラ１０は、第１ディスプレイ２Ａの表示及び第２ディスプレイ２Ｂの第１画像５０の表示を維持した状態で、第１画像５０を表示していない第２ディスプレイ２Ｂの領域を反射状態ＳＴ２から透過状態ＳＴ１へ遷移させる（ステップＳ５０６）。コントローラ１０は、ステップＳ５０６の処理が終了すると、図１４に示す処理手順を終了させる。
【００９７】
本出願の開示する実施形態は、発明の要旨及び範囲を逸脱しない範囲で変更することができる。さらに、本出願の開示する実施形態は、適宜組み合わせることができる。例えば、上記の実施形態は、以下のように変形してもよい。
【００９８】
例えば、図５に示した各プログラムは、複数のモジュールに分割されていてもよいし、他のプログラムと結合されていてもよい。
【００９９】
上記の実施形態では、スマートフォン１は、第１画像５０を第１領域３０１と第２領域３０２とに跨がる場合について説明したが、これに限定されない。例えば、スマートフォン１は、第２ディスプレイ２Ｂの画像を第１領域３０１または第２領域３０２のいずれか一方に表示させてもよい。
【０１００】
上記の実施形態では、スマートフォン１は、略長方形状の第２ディスプレイ２Ｂを用いる場合について説明したが、これに限定されない。例えば、スマートフォン１は、多角形、楕円、星形等の形状を有する第２ディスプレイ２Ｂを用いてもよい。この場合、スマートフォン１は、ユニークな形状の第２ディスプレイ２Ｂによって第１ディスプレイ２Ａを隠すことができる。
【０１０１】
上記の実施形態では、スマートフォン１は、第２ディスプレイ２Ｂの第２表示領域３００の全ての領域を透過状態ＳＴ１から反射状態ＳＴ２に遷移されることにより、第１ディスプレイ２Ａを隠す場合について説明したが、これに限定されない。例えば、スマートフォン１は、第１画像５０の反射部５２を有する画像を第２ディスプレイ２Ｂに表示させることにより、第１ディスプレイ２Ａの一部又は全部を隠してもよい。
【０１０２】
上記の実施形態では、スマートフォン１は、タッチスクリーン２Ｃのサイズを第１ディスプレイ２Ａと略同一のサイズとする場合について説明したが、これに限定されない。例えば、スマートフォン１は、タッチスクリーン２Ｃのサイズを第２ディスプレイ２Ｂと略同一のサイズとしてもよい。
【０１０３】
上記の実施形態では、スマートフォン１は、第１ディスプレイ２Ａの表示面側に１つの第２ディスプレイ２Ｂを積層する場合について説明したが、これに限定されない。例えば、スマートフォン１は、第１ディスプレイ２Ａの表示面側に、複数の第２ディスプレイを積層させてもよい。
【０１０４】
上記の実施形態では、スマートフォン１は、第２ディスプレイ２Ｂをハウジング２０のフロントパネル２２に設ける場合について説明したが、これに限定されない。例えば、スマートフォン１は、ハウジング２０の背面（バックフェイス）に第２ディスプレイ２Ｂをさらに設けてもよい。
【０１０５】
図１５Ａは、実施形態に係るスマートフォン１が行う背面における表示制御の一例を示す図である。図１５Ｂは、図１５Ａにおけるカメラ１３部分の表示制御の一例を示す図である。図１５Ａに示すように、スマートフォン１は、ハウジング２０の背面２６に第２ディスプレイ２Ｂを設けている。背面２６は、スマートフォン１の正面とは反対の面である。第２ディスプレイ２Ｂは、ハウジング２０の背面２６の全面に重ねられている。スマートフォン１は、アウトカメラであるカメラ１３をハウジング２０の背面２６に有する。第２ディスプレイ２Ｂは、カメラ１３を覆っている。
【０１０６】
図１５ＡのステップＳ６１に示す例では、スマートフォン１は、背面２６の第２ディスプレイ２Ｂの全面を反射状態ＳＴ２としている。スマートフォン１は、外光の光を反射、錯乱させることにより、背面２６の第２ディスプレイ２Ｂを白濁した状態で利用者に視認させている。
【０１０７】
第２ディスプレイ２Ｂは、第２表示領域３００を有する。第２表示領域３００は、ハウジング２０の背面２６の全面を覆う領域となっている。第２表示領域３００は、背面２６のカメラ１３を覆う第２ディスプレイ２Ｂの部分３１０を有する。第２ディスプレイ２Ｂは、第２表示領域３００の部分３１０が反射状態ＳＴ２である場合、カメラ１３を利用者から隠すことができる。例えば、カメラ１３が設けられたハウジング２０の部分はカメラ穴となっているため、反射状態ＳＴ２の第２ディスプレイ２Ｂは、カメラ穴を白濁した状態では完全に隠せない場合がある。すなわち、反射状態ＳＴ２の第２ディスプレイ２Ｂは、部分３１０でカメラ１３が透けて利用者から完全に隠すことができない場合がある。スマートフォン１は、カメラ１３と第２ディスプレイ２Ｂとの間にエアギャップを設けるほど、反射状態ＳＴ２の部分３１０でカメラ１３が透けることを改善できる。
【０１０８】
ステップＳ６１では、スマートフォン１は、背面２６の第２ディスプレイ２Ｂの全面を反射状態ＳＴ２とすることにより、背面２６の第２ディスプレイ２Ｂによってカメラ１３を隠している。利用者は、例えば、スマートフォン１のカメラアプリケーションを起動している。
【０１０９】
ステップＳ６２では、スマートフォン１は、カメラアプリケーションが起動されると、第２ディスプレイ２Ｂの部分３１０を反射状態ＳＴ２から透過状態ＳＴ１に遷移させる。図１５Ｂに示す例では、スマートフォン１は、第２ディスプレイ２Ｂの部分３１０を、一般的なカメラの絞り羽根のように、状態ＳＴ１１、ＳＴ１２、ＳＴ１３、ＳＴ１４の順に透過状態ＳＴ１の割合を増加させている。このように、スマートフォン１は、カメラ１３が利用されない場合、第２ディスプレイ２Ｂによって隠すことができ、カメラ１３が利用される場合、第２ディスプレイ２Ｂで隠すのを中止できる。スマートフォン１は、背面２６の第２ディスプレイ２Ｂを反射状態ＳＴ２にすればよいため、背面２６の第２ディスプレイ２Ｂの消費電力を抑制することができる。その結果、スマートフォン１は、背面２６の第２ディスプレイ２Ｂをカメラ１３のカメラカバーとして用いることで、消費電力の増加を抑制して背面２６におけるデザイン性を向上させることができる。
【０１１０】
第２ディスプレイ２Ｂによってカメラ１３を隠す制御は、ハウジング２０の主面２１のカメラ１２にも適用できる。例えば、スマートフォン１は、ハウジング２０の主面２１のカメラ１２を第２ディスプレイ２Ｂで隠している場合、カメラ１２を覆っている第２ディスプレイ２Ｂの部分のみを反射状態ＳＴ２から透過状態ＳＴ１に遷移させてもよい。
【０１１１】
上記の実施形態では、スマートフォン１は、第２ディスプレイ２Ｂをハウジング２０の背面２６の全面に設ける場合について説明したが、これに限定されない。例えば、スマートフォン１は、第２ディスプレイ２Ｂを背面２６の一部に設けてもよい。この場合、第２ディスプレイ２Ｂは、背面２６におけるカメラ１３を覆う部分を少なくとも含む領域に設けられるとよい。さらに、第２ディスプレイ２Ｂは、反射状態ＳＴ２である場合にハウジング２０の背面２６の色と同じ或いは類似した色を呈するものであるとよい。さらに、スマートフォン１は、ハウジング２０の背面２６において、第１ディスプレイ２Ａと第２ディスプレイ２Ｂと重ねてもよい。
【０１１２】
上記の実施形態では、スマートフォン１は、第２ディスプレイ２Ｂをドットのマトリクス表示させる場合について説明したが、これに限定されない。第２ディスプレイ２Ｂは、セグメント表示させたり、マトリクス表示とセグメント表示とを組み合わせたりしてもよい。
【０１１３】
図１６は、第２ディスプレイ２Ｂの第２表示領域３００の他の一例を示す図である。図１６に示すように、第２ディスプレイ２Ｂの第２表示領域３００は、セグメント領域３００Ｇと、マトリクス領域３００Ｍとを含む。セグメント領域３００Ｇは、予め定められた複数のセグメントのうち所望のセグメントを表示できる。複数のセグメントは、例えば、数字、文字、記号等を含む。セグメント領域３００Ｇは、例えば、矢印、時計、距離・速度計等を表示できる。マトリクス領域３００Ｍは、複数のドット（画素）を組み合わせて表示できる。マトリクス領域３００Ｍは、例えば、日付、テキスト、通知アイコン等を表示できる。スマートフォン１は、第２ディスプレイ２Ｂのセグメント領域３００Ｇの表示するセグメント部分のみを透過状態ＳＴ１、すなわち、電圧の印加状態にすればよいため、電力消費を抑制することができる。第２ディスプレイ２Ｂの第２表示領域３００において、セグメント領域３００Ｇと、マトリクス領域３００Ｍとの配置は、図１６に示す例に限定されない。
【０１１４】
上記の実施形態では、携帯電子機器の例として、スマートフォン１について説明したが、添付の請求項に係る携帯電子機器は、スマートフォン１に限定されない。添付の請求項に係る携帯電子機器は、スマートフォン１以外の電子機器であってもよい。電子機器は、例えば、モバイルフォン、スマートウォッチ、携帯型パソコン、ヘッドマウントディスプレイ、デジタルカメラ、メディアプレイヤ、電子書籍リーダ、ナビゲータ、及びゲーム機を含むが、これに限定されない。
【０１１５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成を具現化するように構成されるべきである。上述の各手段、各ステップ、各動作、各機能等は論理的に矛盾しないように再配置可能であり、複数の手段、ステップ動作、機能等は如何様にも組み合わせたり、分割したりすることが可能である。
【符号の説明】
【０１１６】
１  スマートフォン
２Ａ  第１ディスプレイ
２Ｂ  第２ディスプレイ
２Ｃ  タッチスクリーン
３  ボタン
４  照度センサ
５  近接センサ
６  通信ユニット
７  レシーバ
８  マイク
９  ストレージ
９Ａ  制御プログラム
９Ｚ  設定データ
１０  コントローラ
１１  スピーカ
１２、１３  カメラ
１４  コネクタ
１５  モーションセンサ
２０  ハウジング
【図１】
2018170753.tif 000003
【図２】
2018170753.tif 000004
【図３】
2018170753.tif 000005
【図４】
2018170753.tif 000006
【図５】
2018170753.tif 000007
【図６】
2018170753.tif 000008
【図７】
2018170753.tif 000009
【図８】
2018170753.tif 000010
【図９】
2018170753.tif 000011
【図１０】
2018170753.tif 000012
【図１１】
2018170753.tif 000013
【図１２】
2018170753.tif 000014
【図１３】
2018170753.tif 000015
【図１４】
2018170753.tif 000016
【図１５Ａ】
2018170753.tif 000017
【図１５Ｂ】
2018170753.tif 000018
【図１６】
2018170753.tif 000019